(57)【要約】生体孔から生体組織を採取する際の採取量のばらつきが低減された生体組織採取具を提供する。本発明の生体組織採取具１０は、内部に第一空間を有すると共に、壁面に第一採取開口部２を有し、生体孔に挿入可能な形状の外装体３と、前記第一空間内で移動可能なように前記第一空間に配置され、かつ第一採取開口部２から前記第一空間に突入した生体組織の一部を採取する採取部１５と、採取部１５に連結され、採取部１５を外装体３の外部から操作する操作部７と、を有する。
2013011607.tif 000002
【特許請求の範囲】
【請求項１】
内部に第一空間を有すると共に、壁面に第一採取開口部を有し、生体孔に挿入可能な形状の外装体と、
前記第一空間内で移動可能なように前記第一空間に配置され、かつ前記第一採取開口部から前記第一空間に突入した生体組織の一部を採取する採取部と、
前記採取部に連結され、前記採取部を前記外装体の外部から操作する操作部と、を有する、生体組織採取具。
【請求項２】
前記外装体が、閉塞端部と開口端部とを有する筒状のものである、請求項１に記載の生体組織採取具。
【請求項３】
前記採取部は、前記第一空間内で、前記筒状の外装体の軸方向に沿って移動可能である、請求項２に記載の生体組織採取具。
【請求項４】
前記採取部が、壁面に第三採取開口部を有すると共に、前記第三採取開口部と連続して形成された、採取した生体組織を収納する収納部を有する、請求項２に記載の生体組織採取具。
【請求項５】
前記外装体において、前記筒状の外装体の軸方向における前記第一採取開口部の上下に位置する壁面より、前記第一採取開口部と対向する壁面が分厚い、請求項２に記載の生体組織採取具。
【請求項６】
前記外装体が、旧ＪＩＳ  Ｋ  ６３０１のスプリング式により測定した硬度が３０°以下の軟質材料から構成されている、請求項２に記載の生体組織採取具。
【請求項７】
前記軟質材料の硬度が５〜１０°である、請求項６に記載の生体組織採取具。
【請求項８】
前記軟質材料がシリコーンである、請求項６に記載の生体組織採取具。
【請求項９】
前記採取部が移動可能なように配置される第二空間を内部に有すると共に、壁面に第二採取開口部を有し、前記外装体の内部に配置され、閉塞端部と開口端部とを有する筒状の内装体をさらに有する、請求項６に記載の生体組織採取具。
【請求項１０】
前記採取部と前記操作部とのあいだに配置され、前記内装体の内壁面に当接するパッキン部をさらに有する、請求項９に記載の生体組織採取具。
【請求項１１】
前記採取部が、前記内装体の前記閉塞端部の内壁面に当接する当接部を有する、請求項１０に記載の生体組織採取具。
【請求項１２】
前記外装体および前記採取部が、それぞれ中空の球状のものであり、前記採取部は、前記第一空間内で回転可能である、請求項１に記載の生体組織採取具。
【請求項１３】
請求項１〜１２のいずれか一項に記載の生体組織採取具を外鼻孔から総鼻道内に挿入した後、前記操作部を操作して前記採取部を移動させることで総鼻道内の組織の一部を前記採取部により採取することを含む、生体組織採取方法。
【発明の詳細な説明】
【技術分野】
【０００１】
本発明は、生体組織採取具とそれを用いた生体組織採取方法に関する。
【背景技術】
【０００２】
生体孔から生体組織を採取する器具としては、一般にめん棒が用いられている。例えば、めん棒によって鼻孔内の粘膜を採取し、採取した粘膜を利用してインフルエンザの検査キットによりインフルエンザの簡易検査が行われている。このような簡易検査は生体組織の一部を単に採取すればよく、採取された生体組織の量が多いか少ないかは特に問題とはならない。【０００３】
しかしながら、生体組織の採取量をほぼ一定にすることで、この採取した生体組織を利用して、例えば、健康状態を判定する検査法もある。その場合には、前述しためん棒による生体組織の採取では、生体組織の採取量にばらつきが生じるため、好ましくない。【０００４】
そこで、めん棒に目盛りを付したり、めん棒を所定の長さで切断できるようにしたりすることが提案されている（例えば、特許文献１を参照）。
【先行技術文献】
【特許文献】
【０００５】
【特許文献１】特開２００１−２８９８４４号公報
【発明の概要】
【発明が解決しようとする課題】
【０００６】
前記従来例における課題は、検査法における判定精度を高めることができないということであった。【０００７】
すなわち、めん棒に目盛りを付したり、めん棒を所定の長さで切断できるようにしたものであれば、採取した生体組織の量は毎回ほぼ一定になると予想された。しかしながら、めん棒による採取は、本来、付着によって生体組織を採取するものであるので、この付着量を毎回一定に保つことが難しい。その結果として、上述のようなめん棒を使用しても、採取する毎に生体組織の採取量が大きく異なり、そのため、検査法における判定精度を高めることができなかった。【０００８】
そこで、本発明は、生体組織の採取量におけるばらつきを低減し、検査法における判定精度を高めることを目的とするものである。
【課題を解決するための手段】
【０００９】
そして、この目的を達成するために本発明は、内部に第一空間を有すると共に、壁面に第一採取開口部を有し、生体孔に挿入可能な形状の外装体と、
前記第一空間内で移動可能なように前記第一空間に配置され、かつ前記第一採取開口部から前記第一空間に突入した生体組織の一部を採取する採取部と、
前記採取部に連結され、前記採取部を前記外装体の外部から操作する操作部と、を有する、生体組織採取具に関する。
【発明の効果】
【００１０】
本発明によると、生体孔から生体組織を採取する度にほぼ定量の生体組織を採取することができるので、生体組織の採取量におけるばらつきが低減され、その結果、検査法における判定精度を高めることができる。
【図面の簡単な説明】
【００１１】
【図１】実施形態１の生体組織採取具１０を用いた生体組織採取方法を示す概念図
【図２】実施形態１の生体組織採取具１０を示す斜視図
【図３Ａ】図２の外装体を示す斜視図
【図３Ｂ】図２の内装体を示す斜視図
【図３Ｃ】図２の操作体を示す斜視図
【図４】実施形態２の生体組織採取具２０を示す斜視図
【図５Ａ】図４の操作体を示す斜視図
【図５Ｂ】図４の内装体を示す斜視図
【図５Ｃ】図４の外装体を示す斜視図
【図６】実施形態２の生体組織採取具２０における操作体４を示す斜視図
【図７】実施形態２の生体組織採取具２０を鼻孔に挿入した時の第一採取開口部２周辺を示す断面図
【図８】実施形態２の生体組織採取具２０を鼻孔に挿入した時の第一採取開口部２周辺を示す断面図
【図９】実施形態２の生体組織採取具２０を鼻孔に挿入した時の第一採取開口部２周辺を示す断面図
【図１０】実施形態２の生体組織採取具２０を鼻孔に挿入した時の第一採取開口部２周辺を示す断面図
【図１１】実施形態２の生体組織採取具２０を鼻孔に挿入した時の第一採取開口部２周辺を示す断面図
【図１２Ａ】開口状態にある実施形態３の生体組織採取具３０を示す斜視図
【図１２Ｂ】閉口状態にある実施形態３の生体組織採取具３０を示す斜視図
【図１３Ａ】開口状態にある実施形態３の生体組織採取具３０の第一採取開口部２２を正面から見た図
【図１３Ｂ】閉口状態にある実施形態３の生体組織採取具３０の第一採取開口部２２を正面から見た図
【図１４Ａ】開口状態にある実施形態３の生体組織採取具３０を、操作桿２６に垂直で、かつ第一採取開口部２２を含む断面で示す図
【図１４Ｂ】閉口状態にある実施形態３の生体組織採取具３０を、操作桿２６に垂直で、かつ第一採取開口部２２を含む断面で示す図
【図１５Ａ】開口状態にある実施形態３の生体組織採取具３０を、操作桿２６および第一採取開口部２２を含む断面で示す図
【図１５Ｂ】閉口状態にある実施形態３の生体組織採取具３０を、操作桿２６および第一採取開口部２２を含む断面で示す図
【図１６】閉口状態で鼻孔内に挿入した実施形態３の生体組織採取具３０を、操作桿２６に垂直で、かつ第一採取開口部２２を含む断面で示す図
【図１７Ａ】図１６の状態から開口状態とした実施形態３の生体組織採取具３０を示す図
【図１７Ｂ】粘膜と第三採取開口部２４の縁との関係を示す拡大図
【図１７Ｃ】第三採取開口部２４により粘膜を切断する時の状況を示す拡大図
【図１８】実施形態３の生体組織採取具３０により採取した粘膜を検査に付する方法の一例を説明する図
【図１９Ａ】実施形態３の生体組織採取具３０により採取した粘膜を検査に付する方法の別の例において、液体を流入させる際の図。
【図１９Ｂ】実施形態３の生体組織採取具３０により採取した粘膜を検査に付する方法の別の例において、閉口状態で揺動する際の図。
【図２０】開口状態にある実施形態４の生体組織採取具４０を、操作桿２６に垂直で、かつ第一採取開口部２２を含む断面で示す図
【図２１】実施形態５の生体組織採取具５０を示す斜視図
【図２２】実施形態３の生体組織採取具３０を複数個保管する際の整列状態を示す斜視図
【図２３Ａ】実施形態３の生体組織採取具３０を操作具と組み合わせて示す斜視図
【図２３Ｂ】実施形態３の生体組織採取具３０を操作具と組み合わせて示す透視斜視図
【図２４】実施形態６の生体組織採取具６０を手と共に示す斜視図
【図２５】実施形態６の生体組織採取具６０を鼻孔に挿入した状態を示す図
【図２６Ａ】開口状態にある実施形態６の生体組織採取具６０を、操作桿２６および第一採取開口部２２を含む断面で示す図
【図２６Ｂ】閉口状態にある実施形態６の生体組織採取具６０を、操作桿２６および第一採取開口部２２を含む断面で示す図
【図２７】実施形態６の生体組織採取具６０の別の態様を示す斜視図
【図２８】実施形態６の生体組織採取具６０のさらに別の態様を示す斜視図
【図２９】実施形態７の生体組織採取具７０を手と共に示す斜視図
【図３０】実施形態７の生体組織採取具７０を鼻孔に挿入した状態を示す図
【図３１】実施形態７の生体組織採取具７０を鼻孔に挿入したまま拭き取りカバー６１を後方に引っ張った状態を示す図
【図３２】実施形態７の生体組織採取具７０において拭き取りカバー６１をさらに後方に引っ張った状態を示す図
【図３３】実施形態７の生体組織採取具７０において拭き取りカバー６１を取り外した状態を示す図
【図３４Ａ】採取前の閉口状態にある実施形態８の生体組織採取具８０を、操作桿２６に垂直で、かつ第一採取開口部２２を含む断面で示す図
【図３４Ｂ】開口状態にある実施形態８の生体組織採取具８０を、操作桿２６に垂直で、かつ第一採取開口部２２を含む断面で示す図
【図３４Ｃ】開口状態から閉口状態への途中にある実施形態８の生体組織採取具８０を、操作桿２６に垂直で、かつ第一採取開口部２２を含む断面で示す図
【図３４Ｄ】採取後の閉口状態にある実施形態８の生体組織採取具８０を、操作桿２６に垂直で、かつ第一採取開口部２２を含む断面で示す図
【図３５Ａ】採取前の閉口状態にある実施形態９の生体組織採取具９０を、操作桿２６に垂直で、かつ第一採取開口部２２を含む断面で示す図
【図３５Ｂ】開口状態にある実施形態９の生体組織採取具９０を、操作桿２６に垂直で、かつ第一採取開口部２２を含む断面で示す図
【図３５Ｃ】開口状態から閉口状態への途中にある実施形態９の生体組織採取具９０を、操作桿２６に垂直で、かつ第一採取開口部２２を含む断面で示す図
【図３５Ｄ】採取後の閉口状態にある実施形態９の生体組織採取具９０を、操作桿２６に垂直で、かつ第一採取開口部２２を含む断面で示す図
【図３６】実施形態１０の生体組織採取具１００を示す斜視図
【図３７Ａ】実施形態１０の生体組織採取具１００において試薬体８１を移動する前の図
【図３７Ｂ】実施形態１０の生体組織採取具１００において試薬体８１を移動した後の図
【図３８】実施形態１０の生体組織採取具１００における反応確認窓８５を説明する図。（ａ）全体図。（ｂ）外装ケース２１付近の拡大図。（ｃ）反応確認窓８５付近の拡大図。
【図３９】実施形態１１の生体組織採取具１１０により採取した粘膜を検査に付する方法の例を説明する図
【発明を実施するための形態】
【００１２】
以下に、本発明の実施の形態を図面とともに詳細に説明する。
【００１３】
（実施の形態１）
図１は、本実施形態の生体組織採取具１０を用いた生体組織採取方法を示す図である。
【００１４】
本実施形態の生体組織採取具１０は、図２および図３に示すように、生体孔に挿入可能な形状を有する筒状の外装体３と、外装体の内部に密接して配置された円筒状の内装体８と、外装体および内装体の内部に可動自在に配置した操作体４とを備えている。
【００１５】
外装体３は側壁に第一採取開口部２を有することに加えて、内部に第一空間を有している。そして、外装体３の全体的な形状は、生体孔に挿入可能な形状としており、閉塞端部と開口端部とを有する円筒状である。外装体３はシリコーンなどの軟質材料から構成されており、軟質材料の硬度は３０°以下、好ましくは５〜１０°である。つまり、この外装体３はきわめて柔らかい材料から構成されている。硬度は、旧ＪＩＳ  Ｋ  ６３０１のスプリング式により測定される。
【００１６】
内装体８は、外装体３の第一空間に適合する形状を有し、閉塞端部と開口端部とを有する円筒状のものである。内装体８は、外装体３の閉塞端部と内装体８の閉塞端部が同一の向きになるよう、外装体の内部に挿入されている。内装体８が外装体３に挿入された状態において、外装体３の内壁と内装体８の外壁は密接している。内装体８は、側壁に第二採取開口部９を有すると共に、内部に、採取部１５が可動自在に挿入されるのに適した形状の第二空間を有している。第二採取開口部９は、第一採取開口部２とほぼ同等の形状を有し、第一採取開口部２と重なるような位置に設けられている。
【００１７】
内装体８は、外装体３と比較して硬質の材料（例えば合成樹脂）から構成されている。外装体３は上述のとおり軟質の材料から構成されているので、この外装体３の形状を保持し、外装体３内において操作体４を円筒状の外装体３の軸方向に沿って操作することを容易にするため、外装体３の内部に、硬質の材料からなる内装体８を配置している。
【００１８】
操作体４は、採取部１５を一端に有すると共に、採取部１５が配置された端部とは反対側の端部に、採取部１５を外装体３の外部から操作することを可能にする操作部７を有する。操作部７は、指先または手で掴むのに適した形状を有する。図２に示すように、操作部７は、外装体３および内装体８の外部に露出しており、具体的には、外装体３の開口端部および内装体８の開口端部から、外装体３および内装体８の外部に突出している。
【００１９】
採取部１５は、外装体３および内装体８の外部のから操作部により操作されることによって、生体組織の一部を採取するものである。採取される生体組織は、外装体３の第一採取開口部２および内装体８の第二採取開口部９から外装体３の第一空間に突入している。採取部１５は、内装体８の内壁に密接する側壁を有すると共に、その側壁に第三採取開口部５を有する。さらに、採取部１５の端部には、採取した生体組織を一時的に収納するための収納部６を有する。収納部６は、第三採取開口部５と連通して形成されている。採取部１５の側壁と操作部７は、棒状部材で接続されている。第三採取開口部５は、第一採取開口部２および第二採取開口部９よりも閉塞端部に近い位置に設けられている。
【００２０】
操作体４は、外装体３の第一空間または内装体８の第二空間に、可動自在に挿入される。具体的には、操作体４は、円筒状の外装体３および円筒状の内装体８の軸方向に沿って内装体８内の第二空間内で滑動が可能である。
【００２１】
以上のように構成された生体組織採取具１０を用いて外鼻孔奥の総鼻道内の組織の一部を採取する例を、図１を用いて説明する。
【００２２】
まず生体組織採取具１０では、操作体４は、内装体８の閉塞端部の内壁に接するまで内部に押し込んだ状態としている。そして、このような状態にある生体組織採取具１０を、図１に示すとおり外鼻孔１から総鼻道１１内に挿入する。次いで、操作部７を操作して操作体４を、円筒状の外装体３の軸方向に沿って外鼻孔１の外側に向けて引き出すように動かす。
【００２３】
このような操作の過程で、操作体４の第三採取開口部５が外装体３の第一採取開口部２および内装体８の第二採取開口部９と重なるようになった状態において、総鼻道１１の組織の一部が、外装体３の第一採取開口部２、内装体８の第二採取開口部９および操作体４の第三採取開口部５を経て生体組織採取具１０の内部に突入した状態となっている。
【００２４】
このような状態から引き続いて、操作体４を外鼻孔１の外側に向けて動かすと、操作体４の第三採取開口部５の後縁辺（閉塞端部側の縁辺）が外装体３の第一採取開口部２および内装体８の第二採取開口部９を通過することになる。これにより、第三採取開口部５の後縁辺が切断部となって、生体組織採取具１０の内部に突入していた総鼻道１１の組織が掻き取られ、続いて収納部６に収納される。
【００２５】
この状態で生体組織採取具１０全体を外鼻孔１の外側に引き出すことで生体組織の採取が完了することになる。生体組織採取具１０により採取された生体組織は、そのまま所定の検査に使用することができる。生体組織採取具１０から操作体４を分離して、採取部１５を液体に浸して振動させることで、採取した生体組織を液体に溶出させた後、得られた溶液を所定の検査に使用することもできる。
【００２６】
生体組織採取具１０では、外装体３が軟質の材料から構成されているので、外装体３が総鼻道１１の壁面に密着した状態においても総鼻道１１に刺激を与えることが少なく、くしゃみ等を誘発しにくいので、以上の採取作業をきわめて簡単に行うことができる。
【００２７】
外装体３は円筒状であるものの、図２および図３で示すように、当該外装体の軸方向における第一採取開口部２の上下に位置する外装体壁面よりも、第一採取開口部２と対向する側の外装体壁面が分厚くなるように形成されている。これは、生体組織採取具１０を総鼻道１１内に挿入した時に、肉厚な壁面が総鼻道１１の内面で押され、その結果、第一採取開口部２が総鼻道１１の内面に押し付けられるようにするためである。これにより、第一採取開口部２および第二採取開口部９から総鼻道１１の組織の一部が生体組織採取具１０の内部に突入しやすくなる。
【００２８】
生体組織採取具１０では外装体３は軟質のシリコーンから構成され、操作体４および内装体８は硬質の樹脂から構成されるので、生体組織を採取した後の生体組織採取具１０を試験管内の液体内にそのまま浸し、振動させて溶出させる作業を行なっても、採取した生体組織を変質させることはない。
【００２９】
本実施形態では、外装体３の第一採取開口部２および内装体８の第二採取開口部９から突入した総鼻道１１の組織を採取することになるので、採取する度にほぼ定量の組織を採取することが可能となる。すなわち、生体組織採取具１０を用いると、定量採取された生体組織を用いて必要な検査を行うことができる。そのため、検査法における判定精度を高めることができる。
【００３０】
（実施の形態２）
図４、図５および図６は、本実施形態の生体組織採取具２０を示す図である。本実施形態の生体組織採取具は、生体孔に挿入可能な形状を有する筒状の外装体３と、外装体の内部に密接して配置された円筒状の内装体８と、外装体および内装体の内部に可動自在に配置した操作体４とを備えている。外装体３と内装体８については、実施形態１のものと同様であるので、説明を省略する。
【００３１】
操作体４は、外装体３の第一採取開口部２および内装体８の第二採取開口部９から、外装体３の第一空間に突入した生体組織の一部を採取するための採取部１５を一端に有する。操作体４は、さらに、採取部１５が配置された端部とは反対側の端部に、採取部１５を外装体３の外部から操作することを可能にする操作部７を有する。操作部７は、指先または手で掴むのに適した形状を有する。図４に示すように、操作部７は、外装体３の開口端部および内装体８の開口端部から、外装体３および内装体８の外部に突出している。
【００３２】
採取部１５は、内装体８の内壁の形状に適合した側壁を有する略円柱状であり、その側壁に第三採取開口部１３を有する。さらに、採取部１５の端部には、内装体８の閉塞端部の内壁に当接する当接部１６を有する。第三採取開口部１３から当接部１６内部まで空間が連通しており、この空間が、採取した生体組織を一時的に収納するための収納部６となる。収納部６は、さらに当接部１６の上方空間１２と連通している。上方空間１２は、採取部１５の端部の一部を切り欠いて形成した空間である。採取部１５と操作部７は、棒状部材で接続されている。第三採取開口部１３は、図７に示すように、第一採取開口部２および第二採取開口部９よりも閉塞端部に近い位置に設けられている。
【００３３】
さらに、採取部１５と棒状部材との境界には、内装体の内壁面に当接するパッキン部１４が配置されている。このように採取部１５と操作部７とのあいだにパッキン部１４を配置することで、パッキン部と内装体の閉塞端部とのあいだを密封することができる。
【００３４】
操作体４は、外装体３の第一空間または内装体８の第二空間に、可動自在に挿入される。具体的には、操作体４は、円筒状の外装体３および円筒状の内装体８の軸方向に沿って滑動が可能である。
【００３５】
本実施形態の生体組織採取具２０は、実施形態１に係る生体組織採取具１０と同様に使用することで、外鼻孔奥の総鼻道内の組織の一部を採取することができる。生体組織採取具１０の使用時とは異なる点を以下に説明する。
【００３６】
生体組織採取具２０では、操作体４を、内装体８の閉塞端部の内壁に接するまで内部に押し込んだ状態において、図７に示すように、操作体４の当接部１６は、内装体８の閉塞端部の内壁に当接している。
【００３７】
このような状態から、操作部７を操作して操作体４を円筒状の外装体３の軸方向に沿って外鼻孔１の外側に向けて引き出すように動かすと、図８〜図１１に示すように、当接部１６と内装体とのあいだの上方空間１２が徐々に拡張されることになる。ここで、採取部１５の外側にパッキン部１４を配置しているため、上方空間１２は負圧下に置かれることになる。総鼻道１１の組織の一部が、図８に示すとおり、外装体３の第一採取開口部２および内装体８の第二採取開口部９を通過して内装体８の第二空間に突入する。さらに、図９に示すとおり、操作体４の第三採取開口部１３が外装体３の第一採取開口部２および内装体８の第二採取開口部９と重なるようになった状態において、総鼻道１１の組織の一部が、採取部１５の第三採取開口部１３から内部に突入した状態となる。ここにおいて、上方空間１２が負圧下にあるため、組織の突入が促進されることになる。
【００３８】
このような状態から引き続いて、図１０および図１１に示すとおり、操作体４を外鼻孔１の外側に向けて引き出すように動かすと、操作体４の第三採取開口部１３の後縁辺によって、突入していた総鼻道組織が掻き採られ、収納部６に収納される。収納部６に生体組織が保持された状態においては、第一採取開口部２および第二採取開口部９は、採取部１５の壁面によって覆われた状態となっているので、採取された生体組織が外装体３外に不用意に流出してしまうことはない。また、収納部６の一端の、第三採取開口部１３の下方に当接部が位置することで、いわゆるポケットを形成しているため、生体組織の不用意な外装体３外への流出をより確実に防止している。
【００３９】
（実施の形態３）
図１２〜図１５は、本実施形態の生体組織採取具３０を示す図である。生体組織採取具３０は、第一採取開口部２２を有する外装ケース２１と、外装ケースの内部に可動自在に配置した採取部２３とを有する。
【００４０】
外装ケース（外装体）２１は、図１２〜図１５から明らかなように中空の球状のものであり、その側面に円形の第一採取開口部２２が形成されている。また、採取部２３も中空の球状になっており、その直径が外装ケース２１のものよりも小さく、外装ケースの内部で回転自在に配置される。その側面には、円形の第三採取開口部２４が形成されている。第一採取開口部２２と第三採取開口部２４の大きさはほぼ同じであるが、いずれか一方が若干大きくてもよい。しかし、第三採取開口部２４の大きさは、採取部２３が回動した時に、採取部２３の壁面で、第一採取開口部２２が確実に覆われるように調整される。
【００４１】
第一採取開口部２２の中心を貫く垂直線と直交するように、円筒状の保持ホルダ２５の一端が外装ケース２１に固定されている。この保持ホルダ２５内には、円柱状の操作桿（操作部）２６が回転自在に設けられており、保持ホルダ２５の一端から突出している。
【００４２】
操作桿２６の先端は外装ケース２１を貫通し、外装ケース２１の内部で、第三採取開口部２４の中心を貫く垂直線と直交する部分において、採取部２３に連結固定されている。
【００４３】
外装ケース２１の第一採取開口部２２の縁には、図１４および図１５に示すように、断面が円形で、リング状のパッキン部２７が装着されている。このパッキン部２７は、外装ケース２１の第一採取開口部２２の縁において、採取部２３の外表面に接する状態となっている。
【００４４】
次に、本実施形態の生体組織採取具３０を用いた生体組織採取方法を説明する。まず、第一採取開口部２２が採取部２３の壁面で覆われた状態で、保持ホルダ２５を指先でつまみ、外装ケース２１を鼻孔内に挿入し、鼻孔内壁面に第一採取開口部２２を当接させる。図１６は、外装ケース２１の第一採取開口部２２が、鼻孔内壁面に当接した状態を示し、この時、鼻孔内壁面は第一採取開口部２２に突入した状態となっている。鼻孔内壁面上には粘膜２９が存在しているので、正確に述べると、粘膜２９が、第一採取開口部２２から外装ケース２１の内部に突入した状態となっている。
【００４５】
この状態で、図１６の矢印Ａ方向に保持ホルダ２５を中心にして操作桿２６を回動させ第一採取開口部２２と第三採取開口部２４とを合致させると、図１７Ａに示すように、第一採取開口部２２から外装ケース２１に突入している粘膜２９は、採取部２３の第三採取開口部２４から採取部２３の内部に突入した状態となる。この時、操作桿２６を操作して採取部２３を図１７Ａの矢印Ｂ方向に回動させれば、採取部２３の第三採取開口部２４の縁辺によって、図１７Ｃに示すように、採取部２３の内部に突出していた粘膜２９が掻き取られ、この掻き取られた粘膜片２９ａが採取部２３の内部空間（収納部）に収納されることになる。ここでは、採取部２３の第三採取開口部２４の縁が、粘膜を切断する切断部として作用する。
【００４６】
図１８は、以上のようにして採取した粘膜を検査に付する方法の一例を説明する図である。ビーカ３１内には、粘膜片２９ａから検出物質を抽出するための液体（例えば、ギ酸、及び、それを含む緩衝液等）３２が入れられている。この液体３２内に外装ケース２１を浸漬し、次に、操作桿２６を操作して採取部２３を回動させ、第一採取開口部２２と第三採取開口部２４とを合致させ、これにより採取部２３内に液体３２を流入させる。次いで、再び操作桿２６を操作して採取部２３を回動させ、第一採取開口部２２を採取部２３の壁面で覆い、この状態で、液体３２内で矢印Ｋのごとく、外装ケース２１を揺動させる。
【００４７】
これにより、採取部２３内において、収納されている粘膜片２９ａから液体３２に検査物質が抽出される。その後、この抽出液を検査装置で測定すれば、検査物質の量を測定できる。抽出時に、外装ケース２１の第一採取開口部２２は採取部２３の壁面で覆われているので、採取部２３内に存在する液体３２は、採取部２３の内部空間の容積で規定される所定容量となっている。しかも、この所定容量の液体３２に、第一採取開口部２２の開口面積によって規定される所定量の粘膜片２９ａが含まれることになるので、検査法における判定精度を高めることができる。
【００４８】
図１９は、採取した粘膜を検査に付する方法の別の例を説明する図である。粘膜片２９ａを採取部２３内に採取後、外装ケース２１の第一採取開口部２２を上方に向けた状態で、操作桿２６を操作して採取部２３を回動させ、第一採取開口部２２と第三採取開口部２４を合致させる。そして、図１９Ａに示すように、スポイド３３を利用して液体３２を第一採取開口部２２および第三採取開口部２４を介して採取部２３内部に流入させる。次いで、図１９Ｂに示すように、第一採取開口部２２を上方に向けた状態を維持しつつ、操作桿２６を操作して採取部２３を回動させ、第一採取開口部２２を採取部２３の壁面で覆う。この状態で、矢印Ｈ方向に外装ケース２１を揺動させ、これにより、採取部２３の内部で粘膜片２９ａから液体３２に検査物質が抽出される。その後、この抽出液を検査装置で測定すれば、検査物質の量を測定できる。
【００４９】
以上では、外装ケース２１および採取部２３は球状のものとして説明したが、これらは操作桿２６の軸方向を長軸とした楕円球状のものであってもよい。この楕円球状の外装ケースおよび採取部では、例えば、長軸は球状の外装ケースの直径と比較して長く、短軸は前記直径と同じ長さとすることができる。これにより、採取開口部の面積を小さくすることなく、操作桿２６と直交する短軸方向の長さを小さくできる。すると、外装ケースが挿入される生体孔が小さい場合でも、外装ケースを生体孔にスムーズに挿入することができる。
【００５０】
（実施の形態４）
図２０は、本実施形態の生体組織採取具４０を示す図である。以下では、本実施形態が実施形態３と相違する点のみを説明する。本実施形態では、外装ケース２１の内壁面に突起状の回動規制部３４ａおよび３４ｂを設け、また、回動規制部３４ａと３４ｂのあいだに位置するように採取部２３の外壁面には突起状の回動規制部３５ａを設けている。
【００５１】
これにより、採取部２３の回動は、回動規制部３５ａが、外装ケース２１上の回動規制部３４ａまたは３４ｂに当接するまでの範囲に規制されるようになっている。これにより、採取部２３の回動を必要な範囲に制限することができる。なお、回動規制部３４ａおよび３４ｂ、回動規制部３５ａの位置は、上述のように採取部２３の動きによって外装ケース２１の第一採取開口部２２の開閉が可能となるように設定される。
【００５２】
（実施の形態５）
図２１は、本実施形態における生体組織採取具５０の斜視図を示す。この生体組織採取具５０は、実施形態３の生体組織採取具３０の円筒状の保持ホルダ２５の外周に、挿入補助具３６を装着したものである。挿入補助具３６は、鼻孔内の形状に適合した形状を有するものであり、挿入補助具３６の内部には筒状ガイド部３６ａとして、保持ホルダ２５を挿入できる空間が形成されている。外装ケース２１と共に挿入補助具３６を鼻孔内に挿入することで、保持ホルダ２５を鼻孔内の所定部分に安定して挿入することが可能となる。
【００５３】
図２２は、実施形態３の生体組織採取具３０を複数個保管する際の整列状態を示す斜視図である。収納ケース３７内に未使用状態の生体組織採取具３０が複数個整列収納されている。この時、外装ケース２１の第一採取開口部２２と採取部２３の第三採取開口部２４は、非合致状態としている。これにより、第一採取開口部２２から埃などが採取部２３内に侵入するのを防止している。
【００５４】
図２３は、実施形態３の生体組織採取具３０を操作具と組み合わせて示す斜視図である。当該操作具は外筒３８と内筒３９とを備えている。内筒３９は、この外筒３８内に内筒３９の先端側が挿入されるとともに、内筒３９の後端側は外筒３８外に突出している。内筒３９は、前後および外周方向へ可動自在になるように外筒３８に挿入されている。内筒３９の先端側には、生体組織採取具３０の操作桿２６を保持する保持部（図示せず）を設けている。外筒３８の先端側には、保持ホルダ２５を保持する保持部（図示せず）を設けている。
【００５５】
このため、図２３Ａに示すとおり、生体組織採取具３０の保持ホルダ２５および操作桿２６をそれぞれ、操作具の外筒３８と内筒３９に保持させ、その状態で外装ケース２１を鼻孔内に挿入する。この時、外筒３８を固定保持して内筒３９を回動させることで、採取部２３の第三採取開口部２４が動作して粘膜２９が掻き取られ、この掻き取られた粘膜片２９ａを採取部２３内に収納することができる。
【００５６】
（実施の形態６）
図２４〜２６は、本実施形態の生体組織採取具６０を示す図である。以下では、生体組織採取具６０が、実施形態３の生体組織採取具３０と異なる点を以下に説明する。
【００５７】
内部が中空の保持ホルダ５１は、第一採取開口部２２の中心を貫く垂直線と直交するように外装ケース２１に固定されている。この保持ホルダ５１内には、円柱状の操作桿２６が回動自在に設けられている。
【００５８】
操作桿２６の中部で、第一採取開口部２２と同じ側に、保持ホルダ５１から操作桿２６を露出させる切欠部５２を設けており、この切欠部５２において、露出した操作桿２６に円板状の操作部５３を固定連結している。図２６に示すように、操作部５３を操作桿２６と直行する方向に回動させることで、外装ケース２１の内部で採取部２３を回動させることができる。
【００５９】
第一採取開口部２２および切欠部５２と反対側には、指当部５４を設けている。指当部５４は、切欠部５２および操作部５３と、外装ケース２１との中間に設けられている。
【００６０】
生体組織採取具７０を使用する場合には、保持ホルダ５１を片手で保持すると共に、指当部５４に人指し指５５を当てて、親指で操作部５３を回動させることができる。これにより、片手のみを用いて、生体組織採取具７０を保持しつつ、かつ、容易に操作桿２６および採取部２３を回動させることができる。
【００６１】
本実施形態においては、保持ホルダ５１の中部で、第一採取開口部２２とは反対側に、人指し指５５を押し付けることができる指当部５４を設けているので、外装ケース２１の第一採取開口部２２を、採取しようとする粘膜２９に適切に当接させることができ、毎回採取する生体組織量をより安定化することができ、検査法における判定精度を高めることができる。さらに、鼻孔に外装ケース２１を挿入した時に、鼻孔と指当部５４との位置関係に基づいて、外装ケース２１の第一採取開口部２２の鼻孔内での位置を想定することができ、これによって作業性がよく、使い勝手の良いものとなる。
【００６２】
図２７は、本実施形態の生体組織採取具６０の別態様を示す図である。この態様では、外装ケース２１から指当部５４までの長さを図２４の生体組織採取具６０のものよりも長くしている。このように、外装ケース２１から指当部５４までの長さが異なるものを複数種準備しておくことで、各人の総鼻道の長さの相違に対応することができる。
【００６３】
外装ケース２１から指当部５４までの長さを変えるためには、指当部５４の前半部分（外装ケース２１に近い側にある部分）を着脱自在に構成し、この着脱自在の前半部分の長さを複数種準備しておくことも可能である。
【００６４】
図２８は、本実施形態の生体組織採取具７０のさらに別の態様を示す図である。この態様では、指当部５４から後方に位置する保持ホルダ５１の径を大きくすることで、握り手部５６を形成している。これにより、保持ホルダ５１の保持を容易にしている。
【００６５】
（実施の形態７）
図２９および３０は、本実施形態の生体組織採取具７０を示す図である。以下では、生体組織採取具７０が、実施形態６の生体組織採取具６０と異なる点を以下に説明する。
【００６６】
生体組織採取具７０の外装ケース２１と保持ホルダ５１の先端側の外周部には、前端が閉塞し、後端が開口した袋状の拭き取りカバー６１が被せられる。
【００６７】
拭き取りカバー６１は、前端側が外装ケース２１の外周に沿うような球形状となっており、後端側に向けて径が大きくなった円筒状となっている。拭き取りカバー６１は、網目状に編んだ合成樹脂繊維または植物繊維から構成されており、親水性を有し、表面が凹凸形状となっている。これを使用することで、鼻孔の内部を清浄化することができる。
【００６８】
拭き取りカバー６１の先端には、拭き取りカバー６１を後端側に引っ張った時に破れる起点６２を設けている。起点６２は、拭き取りカバー６１の先端をわずかに開口させたり、当該先端に切れ目または薄肉部分を設けたりすることで形成することができる。
【００６９】
第一採取開口部２２および切欠部５２と反対側には、拡径部６３を設けている。拡径部６３は、切欠部５２および操作部５３と、外装ケース２１との中間に設けられている。拡径部６３を設けた部分の径は、拡径部６３を設けた部分より先端側の径と比較して大きくなっている。
【００７０】
生体組織採取具７０を使用する際には、まず、拭き取りカバー６１を生体組織採取具７０の外装ケース２１と保持ホルダ５１の先端側に装着する。その際、拭き取りカバー６１の後端は拡径部６３よりも先端側に位置している。その状態で、拭き取りカバー６１で覆われた外装ケース２１を鼻孔内に挿入する。次に、生体組織採取具７０全体を鼻孔内で回転させるか、または前後に動かすことで、鼻孔内を清浄化する。すなわち、鼻孔内に存在する、検査に不要な物質を予め除去する。
【００７１】
鼻孔内の清浄化を行った後には、拭き取りカバー６１の後端を保持して、拭き取りカバー６１を後端側（鼻孔の外側）に引っ張る。これにより、拭き取りカバー６１の先端に設けた起点６２が最初に破れ、この破れは、拭き取りカバー６１が後端側に引っ張られるに応じてどんどん大きくなり、その結果として、図３１および３２に示すように、拭き取りカバー６１は外装ケース２１の後端側に移動する。
【００７２】
このように拭き取りカバー６１を後端側に引っ張ることで、鼻孔内において外装ケース２１が露出することになる。その後、外装ケース２１の第一採取開口部２２を鼻孔内壁面に当接させ、採取部２３を回動させることで、粘膜２９を掻き取ることができる。
【００７３】
以上のように、本実施形態では、粘膜２９を掻き取る前に、拭き取りカバー６１の拭き取りにより鼻孔内を清浄化することができるので、毎回採取する生体組織量が安定するだけでなく、鼻孔内に存在する不要物質を採取することが少なくなるので、検査法における判定精度をより高めることができるのである。
【００７４】
生体組織採取具７０により採取された生体組織を検査に付する前に、図３３に示すように、拭き取りカバー６１を生体組織採取具７０から取り外すことができる。
【００７５】
すなわち、拭き取りカバー６１を後端側に引っ張ることで、図３２に示すように拡径部６３に拭き取りカバー６１の後端が当接すると、この拡径部６３にて、拭き取りカバー６１の後端から前端に向けて拭き取りカバー６１の破れが進行し、その結果、図３３に示すように、破れた拭き取りカバー６１を生体組織採取具から容易に取り外すことができる。
【００７６】
（実施の形態８）
本実施形態の生体組織採取具８０は、採取部が異なる点以外は、実施形態６に係る生体組織採取具６０と同じである。以下では、生体組織採取具６０と異なる部分を説明する。
【００７７】
図３４は、生体組織採取具８０の外装ケース２１と採取部を、操作桿２６に直交する断面で切断した断面図である。
【００７８】
生体組織採取具８０における採取部は、外装ケース２１の内壁に沿ってそれぞれ回動自在に配置された第一回動片７２および第二回動片７３から構成される。図３４から分かるように、第一回動片７２は中空の球を半分に分割した半球状（１８０°）であり、第二回動片７３は中空の球を３等分した形状（１２０°）である。
【００７９】
第一回動片７２には操作桿２６の先端が固定されている。操作桿２６には、実施形態６と同様、円板状の操作部５３が設けられているので、操作部５３を親指で回動操作することで、図３４Ａ〜３４Ｄに示すように第一回動片７２を外装ケース２１内部で回動させることができる。なお、第二回動片７３は操作桿２６と連結されていない。
【００８０】
図３４Ａでは、第一採取開口部２２が、第一回動片７２の球状外周面によって覆われており、第二回動片７３は、第一採取開口部２２を被覆しない位置に配置されている。この時、第一回動片７２の第一縁辺７２ａと第二回動片７３の第一縁辺７３ａは、当接している。逆に、第一回動片７２の第二縁辺７２ｂと第二回動片７３の第二縁辺７３ｂは、離間している。外装ケース２１を鼻孔内に挿入する時には、第一回動片７２と第二回動片７３の配置を図３４Ａの状態とする。図３４Ａでは、第一採取開口部２２を粘膜２９に当接している。
【００８１】
なお、外装ケース２１の外壁には貫通孔である空気孔７１が設けられている。この空気孔７１は、第一回動片７２の第二縁辺７２ｂと第二回動片７３の第二縁辺７３ｂとに挟まれた領域に面するような位置に設けられている。
【００８２】
次に、操作部５３を図３４で時計方向に回動操作すると、第一回動片７２が回動し、その結果、図３４Ｂに示すように、第一回動片７２の第二縁辺７２ｂと第二回動片７３の第二縁辺７３ｂが当接した状態となる。逆に、第一回動片７２の第一縁辺７２ａと第二回動片７３の第一縁辺７３ａは、離間した状態となり、第一採取開口部２２が鼻孔内で開口した状態となる。そして、図３４Ａの状態から図３４Ｂの状態に移行する過程で、第一回動片７２の第一縁辺７２ａと第二回動片７３の第一縁辺７３ａとの間に空間７４が形成され、この空間は負圧下に置かれることになる。
【００８３】
この結果、図３４Ｂに示すように、鼻孔内の粘膜２９の一部は第一採取開口部２２から外装ケース２１内へと突出した状態となる。
【００８４】
また、図３４Ａで第一回動片７２の第二縁辺７２ｂと第二回動片７３の第二縁辺７３ｂとの間に挟まれた空間に存在していた空気は、図３４Ａの状態から図３４Ｂの状態に移行する過程で、空気孔７１から外装ケース２１の外部に放出される。
【００８５】
そして、図３４Ｂの状態からさらに操作部５３を図３４で時計方向に回動操作すると、第一回動片７２が回動すると共に、第二回動片７３の第二縁辺７３ｂが第一回動片７２の第二縁辺７２ｂに押されることになり、第二回動片７３も時計方向に回動することになる。その結果、第二回動片７３の第二縁辺７３ｂが第一採取開口部２２を通過することになり、第二回動片７３の第一縁辺７３ａの外周に設けた掻取部７５が、図３４Ｃに示すように、第一採取開口部２２内に突出していた粘膜２９を掻き取ることになる。
【００８６】
引き続いて、図３４Ｃの状態からさらに操作部５３を図３４で時計方向に回動操作すると、図３４Ｄに示すように、第一採取開口部２２が第二回動片７３の球状外周面によって覆われた状態となる。この時、掻き取られた粘膜２９は、第一回動片７２の第一縁辺７２ａと第二回動片７３の第一縁辺７３ａ間に形成される空間である収容空間７４ａ内に収容される。この状態で外装ケース２１を鼻孔内から抜き出す。
【００８７】
なお、空気孔７１は、外装ケース２１の第一採取開口部２２以外の領域に形成しているが、収容空間７４ａに面しない位置に設けることが好ましい。なぜなら、空気孔７１が収容空間７４ａに面していると、掻き取られた粘膜片２９ａが、空気孔７１から外装ケース２１の外部に放出されてしまうからである。
【００８８】
（実施の形態９）
図３５は、本実施形態の生体組織採取具９０の外装ケース２１と採取部を、操作桿２６に直交する断面で切断した断面図である。本実施形態の生体組織採取具９０は、実施形態８の生体組織採取具８０と類似しているため、以下では、生体組織採取具８０と異なる部分を説明する。
【００８９】
生体組織採取具９０における採取部では、第一回動片７２の第一縁辺７２ａと第二回動片７３の第一縁辺７３ａとが当接するのを防止する当接防止手段を設けている。当接防止手段は、操作桿２６に設けた突起７６を、第二回動片７３の、操作桿２６に面する領域に設けた溝７７に係合させて構成したものである。溝７７は、突起７６と比較して幅のある凹部である。
【００９０】
図３５Ａでは、図３４Ａと同様、第一採取開口部２２が、第一回動片７２の球状外周面によって覆われているが、当接防止手段が存在しているために、第一回動片７２の第一縁辺７２ａと第二回動片７３の第一縁辺７３ａは、当接していない。この時、突起７６は、溝７７の第二縁辺７３ｂ側にある側端部に位置している。この状態で、外装ケース２１を鼻孔内に挿入する。
【００９１】
次に、操作部５３を図３５で時計方向に回動操作することで、図３５Ｂに示すように、第一回動片７２の第一縁辺７２ａと第二回動片７３の第一縁辺７３ａとの間に空間７４が形成され、第一回動片７２の第二縁辺７２ｂと第二回動片７３の第二縁辺７３ｂが当接した状態となる。この時、突起７６は、溝７７の第一縁辺７３ａ側にある側端部に位置している。この溝７７内における突起７６の位置は、図３５Ｃおよび３５Ｄで示すように、粘膜２９が採取されるまで維持される。
【００９２】
図３４Ｄまたは図３５Ｄの状態から、採取された粘膜２９を外装ケース２１から取り出すためには、操作部５３をさらに時計方向に回動操作し、空間７４を第一採取開口部２２に面するようにする。この状態で、例えば純水に、粘膜片２９ａを流出させればよい。
【００９３】
実施形態８の生体組織採取具８０では、粘膜片２９ａの取り出し時に、操作桿２６が反時計方向に回動されると、第一回動片７２の第一縁辺７２ａと第二回動片７３の第一縁辺７３ａが当接することにより、採取された粘膜片２９ａが圧縮されてしまう恐れがある。当接防止手段を設けた生体組織採取具９０では、第一回動片７２の第一縁辺７２ａと第二回動片７３の第一縁辺７３ａの当接が防止されているので、上記の圧縮を回避することができる。具体的には、生体組織採取具９０では、図３５Ｄの状態から誤って操作桿２６が反時計方向に回動されると、まず、突起７６が溝７７の第二縁辺７３ｂ側端部に当接することになる。その後は、その状態で第二回動片７３を回動させることになるので、第一回動片７２の第一縁辺７２ａと第二回動片７３の第一縁辺７３ａが当接することはない。
【００９４】
（実施の形態１０）
図３６は、本実施形態の生体組織採取具１００を示す図である。以下では、生体組織採取具１００が実施形態６の生体組織採取具６０と異なる点を説明する。
【００９５】
生体組織採取具１００では、操作桿２６が中空の円筒状の部材から構成される。この円筒状の操作桿２６の内部には、円柱状の試薬体８１が軸方向に移動自在に収納されている。試薬体は吸水性の繊維から構成された円柱状の部材であり、予め、検査対象物と反応して変色する試薬が含浸されている。試薬体８１の端部（外装ケース２１とは反対側の端部）には、押し込み操作部８４が連結されており、これを使用することで、試薬体８１を外装ケース２１および採取部２３側に向けて操作桿２６内を移動させることができる。
【００９６】
試薬体８１の先端部が採取部２３の外壁面に対向している箇所では、当該外壁面は破断膜（図示せず）により構成されている。従って、図３７で示すように、試薬体８１を外装ケース２１および採取部２３側に向けて移動させることで、試薬体８１の先端部が破断膜を通過して、採取部２３の内部に挿入されることになる。
【００９７】
図３８で示すように、外装ケース２１と操作部５３との間に位置する保持ホルダ５１の壁面には、壁面の一部を貫通して設けた反応確認窓８５を設けている。反応確認窓８５を介して試薬体８１の状態を確認することができる。また、このような確認をするために、操作桿２６は透明の材料から構成される。
【００９８】
採取部２３の内部には、加熱により融解するゲル状の中和体８６が配置され、さらに、中和体８６の上面には、加熱により融解するゲル状の反応体８７が配置されている。ここで、中和体とは例えばギ酸等を含み、反応体とは、例えば、ギ酸を中和するアルカリを含むものである。
【００９９】
次に、本実施形態の生体組織採取具１００を用いて鼻孔から粘膜を採取した後、粘膜の中にアミロイドβが存在するか否か、また、どの程度存在するかを検査する方法について説明する。
【０１００】
まず、実施形態６の生体組織採取具６０と同様に使用して、鼻孔から粘膜を採取する。図３７Ａでは、採取が完了した時点での生体組織採取具１００の状態を示している。
【０１０１】
この状態で、図３６における外装ケース２１の上方から、例えばヒータを用いて、加熱をすると、まずは、採取部２３内の上方に配置された反応体８７が融解し、液状となる。これにより、採取部２３により採取された粘膜中に存在する可能性があるアミロイドβが、反応体８７と作用することで、分解され、凝集体から単体に変換される。
【０１０２】
さらに、前記ヒータにより加熱を続けると、採取部２３内の下方に配置された中和体８６が融解し、液状となる。これにより、反応体８７の中和が行われる。
【０１０３】
次に、図３７Ｂに示すように、押し込み操作部８４を保持して試薬体８１を外装ケース２１および採取部２３側に向けて移動させ、破断膜を破いて、試薬体８１の先端部を採取部２３の内部に突入させる。これにより、試薬体８１の先端部が採取部２３中の液中に浸入することになる。この試薬体８１には、予め、アミロイドβに反応する試薬が含浸されているため、採取された粘膜中にアミロイドβが存在すると、試薬体８１が変色する。試薬体８１は吸水性の繊維から構成されているので、採取部２３中の液体は毛細管現象により繊維に吸収され、試薬体８１中を上昇する結果、反応確認窓８５から試薬の反応状態を観察することが可能となる。
【０１０４】
本実施形態では、採取した粘膜が採取時から反応までの間、生体組織採取具１００の外部に出ることがないので、衛生面の質を向上することができる。
【０１０５】
（実施の形態１１）
以下では、本実施形態の生体組織採取具１１０が実施形態１０の生体組織採取具１００と異なる点を説明する。
【０１０６】
生体組織採取具１１０では、採取部２３内に中和体８６および反応体８７を配置していない。
【０１０７】
まず、生体組織採取具１１０を用いて、上記と同様に鼻孔から粘膜を採取する。その後、図３９に示すように、外装ケース２１の第一採取開口部２２を上に向け、この状態で操作部５３を回動操作することで、外装ケース２１の第一採取開口部２２を採取部２３の第三採取開口部２４と合致させる。
【０１０８】
次に、スポイド８８を用いて液状の反応体８７を採取部２３内に流入させる。これにより、アミロイドβを分解して凝集体から単体に変換する。その後、他のスポイド（図示せず）を用いて液状の中和体８６を採取部２３内に流入させて、反応体８７の中和を行う。その後、再び操作部５３を回動操作することで、外装ケース２１の第一採取開口部２２を採取部２３の壁面で閉口した状態にする。
【０１０９】
その後は、実施の形態１０の場合と同様、押し込み操作部８４を使用して試薬体８１の先端部を採取部２３の内部に突入させた後、反応確認窓８５から試薬の反応状態を観察する。
【産業上の利用可能性】
【０１１０】
本発明によると、鼻孔等の生体孔から鼻孔内粘膜等の生体組織を採取する度にほぼ定量の生体組織を採取することができるので、生体組織の採取量におけるばらつきが低減され、その結果、検査法における判定精度を高めることができる。
【符号の説明】
【０１１１】
１０，２０，３０，５０，６０，７０，１００，１１０  生体組織採取具
１  外鼻孔
２  第一採取開口部
３  外装体
４  操作体
５  第三採取開口部
６  収納部
７  操作部
８  内装体
９  第二採取開口部
１１  総鼻道
１２  上方空間
１３  第三採取開口部
１４  パッキン部
１５  採取部
１６  当接部
２１  外装ケース
２２  第一採取開口部
２３  採取部
２４  第三採取開口部
２５  保持ホルダ
２６  操作桿
２７  パッキン部
２９  粘膜
３１  ビーカ
３２  液体
３３  スポイド
３４ａおよび３４ｂ  回動規制部
３５ａ  回動規制部
３６  挿入補助具
３６ａ  筒状ガイド部
３７  収納ケース
３８  外筒
３９  内筒
５１  保持ホルダ
５２  切欠部
５３  操作部
５４  指当部
５５  人指し指
５６  握り手部
６１  拭き取りカバー
６２  起点
６３  拡径部
７１  空気孔
７２  第一回動片
７３  第二回動片
７２ａ  第一縁辺
７２ｂ第二縁辺
７３ａ  第一縁辺
７３ｂ  第二縁辺
７４  空間
７４  収容空間
７５  掻取部
７６  突起
７７  溝
８１  試薬体
８４  押し込み操作部
８５  反応確認窓
８６  中和体
８７  反応体
８８  スポイド
【図１】
2013011607.tif 000003
【図２】
2013011607.tif 000004
【図３Ａ】
2013011607.tif 000005
【図３Ｂ】
2013011607.tif 000006
【図３Ｃ】
2013011607.tif 000007
【図４】
2013011607.tif 000008
【図５Ａ】
2013011607.tif 000009
【図５Ｂ】
2013011607.tif 000010
【図５Ｃ】
2013011607.tif 000011
【図６】
2013011607.tif 000012
【図７】
2013011607.tif 000013
【図８】
2013011607.tif 000014
【図９】
2013011607.tif 000015
【図１０】
2013011607.tif 000016
【図１１】
2013011607.tif 000017
【図１２Ａ】
2013011607.tif 000018
【図１２Ｂ】
2013011607.tif 000019
【図１３Ａ】
2013011607.tif 000020
【図１３Ｂ】
2013011607.tif 000021
【図１４Ａ】
2013011607.tif 000022
【図１４Ｂ】
2013011607.tif 000023
【図１５Ａ】
2013011607.tif 000024
【図１５Ｂ】
2013011607.tif 000025
【図１６】
2013011607.tif 000026
【図１７Ａ】
2013011607.tif 000027
【図１７Ｂ】
2013011607.tif 000028
【図１７Ｃ】
2013011607.tif 000029
【図１８】
2013011607.tif 000030
【図１９Ａ】
2013011607.tif 000031
【図１９Ｂ】
2013011607.tif 000032
【図２０】
2013011607.tif 000033
【図２１】
2013011607.tif 000034
【図２２】
2013011607.tif 000035
【図２３Ａ】
2013011607.tif 000036
【図２３Ｂ】
2013011607.tif 000037
【図２４】
2013011607.tif 000038
【図２５】
2013011607.tif 000039
【図２６Ａ】
2013011607.tif 000040
【図２６Ｂ】
2013011607.tif 000041
【図２７】
2013011607.tif 000042
【図２８】
2013011607.tif 000043
【図３４Ａ】
2013011607.tif 000044
【図３４Ｂ】
2013011607.tif 000045
【図３４Ｃ】
2013011607.tif 000046
【図３４Ｄ】
2013011607.tif 000047
【図３５Ａ】
2013011607.tif 000048
【図３５Ｂ】
2013011607.tif 000049
【図３５Ｃ】
2013011607.tif 000050
【図３５Ｄ】
2013011607.tif 000051
【図３６】
2013011607.tif 000052
【図３７Ａ】
2013011607.tif 000053
【図３７Ｂ】
2013011607.tif 000054
【図３８】
2013011607.tif 000055
【図３９】
2013011607.tif 000056
【図２９】
2013011607.tif 000057
【図３０】
2013011607.tif 000058
【図３１】
2013011607.tif 000059
【図３２】
2013011607.tif 000060
【図３３】
2013011607.tif 000061
【国際調査報告】
2013011607.tif 000062
2013011607.tif 000063
2013011607.tif 000064
2013011607.tif 000065